(57)【特許請求の範囲】
【請求項１】
絶縁フィルム上に体動センサと離床センサ及びこれら両センサがそれぞれ電気的に接続されたプリント基板を貼着し、その上に第１の軟質樹脂シートを被着し、これらの上下を第２の軟質樹脂シートで挟み込んで一体化して成ることを特徴とする体動・離床複合センサ。
【請求項２】
前記絶縁フィルム上に、互いに並列接続された複数の体動センサと複数の離床センサを配置したことを特徴とする請求項１記載の体動・離床複合センサ。
【請求項３】
上下の前記第２の軟質樹脂シートの内側にシールド用の金属箔をそれぞれ配置するとともに、両金属箔同士を電気的に導通させたことを特徴とする請求項１又は２記載の体動・離床複合センサ。
【発明の詳細な説明】
【技術分野】
【０００１】
本発明は、体動センサと離床センサを一体化して成る体動・離床複合センサに関するものである。
【背景技術】
【０００２】
ベッドに伏している病院の入院患者や介護施設の被介護者等の呼吸状態等は体動センサによって検出され、入院患者や被介護者等がベッドから離床しているか否かは離床センサによって検出され、それぞれの検出信号はナースセンターや監視室等に設置されたコンピュータに送信される。
【０００３】
ところで、体動センサや離床センサに関しては今まで種々の提案がなされている（例えば、特許文献１，２等参照）。
【先行技術文献】
【特許文献】
【０００４】
【特許文献１】特開２００９−２７９２１１号公報
【特許文献２】特開２０１０−２６４００９号公報
【発明の概要】
【発明が解決しようとする課題】
【０００５】
しかしながら、従来は体動センサと離床センサは各々独立に構成され、それらは別々に設置されていたため、体動センサによって入院患者等の異常（例えば、呼吸がない、心拍がない等）が検出されても、これが入院患者等の離床によるものか、真の異常によるものかの判断ができなかった。このため、病院や介護施設等では、一定時間ごと（例えば１時間ごと）に巡回してそのことを確認する必要があり、その作業が大変であった。
【０００６】
また、従来の体動センサや離床センサはその厚さが比較的厚いため、その上に入院患者等が寝ると違和感を覚えるという問題もあった。
【０００７】
本発明は上記問題にかんがみてなされたもので、その目的とするところは、体動センサによって検出された異常の真偽を判断することができるとともに、ベッド上に寝ている者が違和感を覚えることがない体動・離床複合センサを提供することにある。
【課題を解決するための手段】
【０００８】
上記目的を達成するため、請求項１記載の発明は、絶縁フィルム上に体動センサと離床センサ及びこれら両センサがそれぞれ電気的に接続されたプリント基板を貼着し、その上に第１の軟質樹脂シートを被着し、これらの上下を第２の軟質樹脂シートで挟み込んで一体化することによって体動・離床複合センサを構成したことを特徴とする。
【０００９】
請求項２記載の発明は、請求項１記載の発明において、前記絶縁フィルム上に、互いに並列接続された複数の体動センサと複数の離床センサを配置したことを特徴とする。
【００１０】
請求項３記載の発明は、請求項１又は２記載の発明において、上下の前記第２の軟質樹脂シートの内側にシールド用の金属箔をそれぞれ配置するとともに、両金属箔同士を電気的に導通させたことを特徴とする。
【発明の効果】
【００１１】
請求項１記載の発明によれば、体動センサと離床センサを同じ絶縁フィルム上に貼着して両者を一体化したため、入院患者等の呼吸状態の異常が体動センサによって検出された場合には、その異常が離床によるものか、真の異常によるものかの判断を離床センサによって行うことができるため、従来必要であった一定時間ごとの巡回が不要となる。また、体動センサと離床センサを薄い絶縁フィルム上に貼着して両者を一体化することによって体動・離床複合センサを薄く構成することができるため、その上に入院患者等が寝ても違和感を覚えることがない。
【００１２】
請求項２記載の発明によれば、絶縁フィルム上に複数の体動センサと離床センサを配置したため、入院患者等がベッド上で寝返りを打ったり、多少移動しても体動センサと離床センサによる検出を正確かつ確実に行うことができる。
【００１３】
請求項３記載の発明によれば、体動センサと離床センサが金属箔によって電磁気的にシールドされるため、これらの体動センサと離床センサが外部からのノイズの影響を受けにくく、正確な検出が可能となる。
【図面の簡単な説明】
【００１４】
【図１】本発明に係る体動・離床複合センサの斜視図である。
【図２】本発明に係る体動・離床複合センサの内部構造を示すために一部を分解して示す斜視図である。
【図３】図２のＡ−Ａ線断面図である。
【図４】本発明に係る体動・離床複合センサの電気回路構成を示す平面図である。
【発明を実施するための形態】
【００１５】
以下に本発明の実施の形態を添付図面に基づいて説明する。
【００１６】
図１は本発明に係る体動・離床複合センサの斜視図、図２は同体動・離床複合センサの内部構造を示すために一部を分解して示す斜視図、図３は図２のＡ−Ａ線断面図、図４は同体動・離床複合センサの電気回路構成を示す平面図である。
【００１７】
本発明に係る体動・離床複合センサ１は、体動センサ２と離床センサ３を一体化して構成されるものであって、この体動・離床複合センサ１においては、図２及び図３に示すように、厚さ０．１８８ｍｍのＰＥＴ（ポリエチレンテレフタレート）フィルムから成る絶縁フィルム４上に各３つずつの体動センサ２と離床センサ３が幅方向（図３の左右方向）に所定の間隔を設けて平行に配設されて貼着されている。
【００１８】
ここで、各体動センサ２は、薄いリボン状のピエゾフィルム（圧電フィルム）で構成され、各離床センサ３は、同じく薄いリボン状の感圧センサによって構成されている。そして、互いに平行に近接配置された体動センサ２と離床センサ３の組が計３つ幅方向に所定の間隔を設けて配置されている。
【００１９】
上記各３つずつの体動センサ２と離床センサ３は、図４に示すように、電気的に互いに並列に接続されており、これらは前記絶縁フィルム４の長手方向端部に貼着されたフレキシブルなプリント基板５にハンダ付けによって電気的に接続されている。そして、絶縁フィルム４上に貼着された３組の体動センサ２と離床センサ３及びプリント基板５に上には、厚さ０．２ｍｍの軟質ポリ塩化ビニル（ＰＶＣ）シートから成る第１の軟質樹脂シート６が被着されている。なお、プリント基板５からはケーブル７が導出しており、該ケーブル７はその端部に接続されたカプラー８を介してナースセンターや監視室等に設置された不図示の監視装置に接続されている。
【００２０】
上記絶縁フィルム４上に貼着された各３つの体動センサ２と離床センサ３、プリント基板５及びこれらの上面に被着された第１の軟質樹脂シート６の上下には、導電性テープによって互いに電気的に導通する厚さ６０μｍのアルミ箔等の金属箔９が配置されており、これらの上下は厚さ０．４ｍｍの軟質ポリ塩化ビニル（ＰＶＣ）シートから成る第２の軟質樹脂シート１０によって覆われている。ここで、図３に示すように上下の第２の軟質樹脂シート１０は、その周縁が互いに接着されており、本発明に係る体動・離床複合センサ１は、図１に示すように多層の矩形シート状に構成されている。
【００２１】
しかして、以上のように構成された体動・離床複合センサ１は、病院や介護施設等に設置された不図示のベッドのマットとシーツの間に設置されて使用されるが、その上に寝た患者や被介護者等の呼吸状態等が体動センサ２によって検出され、患者等がベッドから離れたか否かが離床センサ３によって検出され、それらの検出信号はケーブル７を介してナースセンターや監視室等に設置された不図示の監視装置に入力される。
【００２２】
以上において、本発明に係る体動・離床複合センサ１においては、体動センサ２と離床センサ３を同じ絶縁フィルム４上に貼着して両者を一体化したため、入院患者等の呼吸状態の異常が体動センサ２によって検出された場合には、その異常が離床によるものか、真の異常によるものかの判断を離床センサ３によって行うことができる。このため、従来必要であった一定時間ごとの巡回が不要となり、その作業に要していた労力が省略される。
【００２３】
また、体動センサ２と離床センサ３を薄い絶縁フィルム４上に貼着して両者を一体化することによって体動・離床複合センサ１を薄く構成することができるため、その上に入院患者等が寝ても違和感を覚えることがない。なお、本実施の形態では、体動・離床複合センサ１の厚さｔ（図３参照）を約１．９ｍｍと薄くすることができた。
【００２４】
さらに、本発明に係る体動・離床複合センサ１によれば、絶縁フィルム４上に各３つずつの体動センサ２と離床センサ３を幅方向に所定の間隔を設けて配置したため、入院患者等がベッド上で寝返りを打ったり、多少移動しても体動センサ２と離床センサ３による検出を正確かつ確実に行うことができる。
【００２５】
また、本発明に係る体動・離床複合センサ１によれば、体動センサ２と離床センサ３がアルミ箔等の金属箔９によって電磁気的にシールドされるため、これらの体動センサ２と離床センサ３が外部からのノイズの影響を受けにくく、正確な検出が可能となるという効果も得られる。
【符号の説明】
【００２６】
１      体動・離床複合センサ
２      体動センサ
３      離床センサ
４      絶縁フィルム
５      プリント基板
６      第１の軟質樹脂シート
７      ケーブル
８      カプラー
９      金属箔
１０    第２の軟質樹脂シート
【図１】
0005395144.tif 000002
【図２】
0005395144.tif 000003
【図３】
0005395144.tif 000004
【図４】
0005395144.tif 000005